(57)【特許請求の範囲】
【請求項１】
光ファイバ心線及び抗張力体を外被で被覆してなるエレメント部と、
壁面に接する２つのケーブル配線面を有し、前記エレメント部のケーブル長さ方向と垂直なケーブル厚み方向の厚みを該エレメント部よりも厚くし且つエレメント部の両側に配置される２本のエレメント支持部と、
前記エレメント部を前記各ケーブル配線面から上方に空中状態で支持するように、前記エレメント部と前記エレメント支持部とをケーブル長さ方向に連続又は不連続で連結する首部とを備えた
ことを特徴とする光ファイバケーブル。
【請求項２】
請求項１記載の光ファイバケーブルであって、
前記エレメント部に設けられた光ファイバ心線及び抗張力体と同一線上に、前記２本のエレメント支持部に別の抗張力体を設けた
ことを特徴とする光ファイバケーブル。
【請求項３】
請求項１又は請求項２記載の光ファイバケーブルであって、
前記首部は、前記壁面へのケーブル配線時に前記エレメント支持部から前記エレメント部を切り離し可能とされている
ことを特徴とする光ファイバケーブル。
【請求項４】
請求項１から請求項３の何れか１つに記載の光ファイバケーブルであって、
前記エレメント部は、光ファイバケーブルの全長に対して０〜１％の余長を有している
ことを特徴とする光ファイバケーブル。
【請求項５】
請求項１から請求項４の何れか１つに記載の光ファイバケーブルであって、
前記エレメント部に、前記光ファイバ心線を取り出すためのノッチ溝がケーブル長さ方向に沿って形成されている
ことを特徴とする光ファイバケーブル。
【請求項６】
請求項１〜５の何れか１つに記載の光ファイバケーブルを壁面に沿って配線する光ファイバケーブルの配線方法であって、
前記壁面の角部に対応する部分の前記首部を切り離して前記光ファイバケーブルを配線する
ことを特徴とする光ファイバケーブルの配線方法。
【発明の詳細な説明】
【技術分野】
【０００１】
本発明は、角部を含む壁面に配線するのに適した光ファイバケーブル及びその配線方法に関するものである。
【背景技術】
【０００２】
近年、ＦＴＴＨ（Fiber To The Home）の発展により、ユーザー宅などへの光ファイバケーブルの配線が頻繁に行われるようになってきた。ユーザー宅では、例えば室内の壁や通路等の壁に沿って光ファイバケーブルを配線する必要があるため、特許文献１に記載されるような光ファイバケーブルが使用されている。
【０００３】
室内の壁に光ファイバケーブルを配線するには、壁面の梁部や部屋の隅、廊下の曲がり部などで、光ファイバケーブルをそれらの曲り角度に応じて配線する必要がある。光ファイバケーブルを曲り角度に応じて曲げると、その曲り角度に準じたケーブル曲げが光ファイバケーブルに加わる。光ファイバの寿命や伝送損失特性は、光ファイバ自体の曲げＲにより低下することが知られており、その曲げＲは大きくとることが望ましい。
【０００４】
そのような中、光ファイバ自体の性能向上により、光ファイバ自体の曲げによる伝送特性の劣化を大きく抑えた光ファイバケーブルが実用化されている。例えば、ＩＴＵ−Ｔ  Ｇ．６５７  Ｂ３で規格された光ファイバは、曲げＲが５ｍｍでも損失増加量が０．１５ｄＢ（波長１５５０ｎｍ）以下と非常に小さな曲げに対応することができる。
【先行技術文献】
【特許文献】
【０００５】
【特許文献１】特開２００９−１２８４９５公報
【発明の概要】
【発明が解決しようとする課題】
【０００６】
このような光ファイバケーブルでは、ｍｍ単位での極小さな曲げ半径の違いが、実際にそのケーブルを使用した伝送路の性能を左右することになる。
【０００７】
本発明は、上記事情を考慮し、壁面に沿って配線した際に角部の曲げよりも光ファイバ心線の曲げを大きくしつつ余分に浮き上がることなく配線可能で且つ伝送損失増加を抑制することのできる光ファイバケーブル及び光ファイバケーブルの配線方法を提供することを目的とする。
【課題を解決するための手段】
【０００８】
第１の発明は、光ファイバ心線及び抗張力体を外被で被覆してなるエレメント部と、壁面に接する２つのケーブル配線面を有し、前記エレメント部のケーブル長さ方向と垂直なケーブル厚み方向の厚みを該エレメント部よりも厚くし且つエレメント部の両側に配置される２本のエレメント支持部と、前記エレメント部を前記各ケーブル配線面から上方に空中状態で支持するように、前記エレメント部と前記エレメント支持部とをケーブル長さ方向に連続又は不連続で連結する首部とを備えたことを特徴としている。なお、前記壁面には、各部屋を仕切る壁はもちろんのこと天井壁、床壁、屋外の家屋壁面、集合住宅における廊下壁面なども含むものとする。
【０００９】
第２の発明は、第１の発明において、前記エレメント部に設けられた光ファイバ心線及び抗張力体と同一線上に、前記２本のエレメント支持部に別の抗張力体を設けたことを特徴としている。
【００１０】
第３の発明は、第１又は第２の発明において、前記首部は、前記壁面へのケーブル配線時に前記エレメント支持部から前記エレメント部を切り離し可能とされていることを特徴としている。
【００１１】
第４の発明は、第１〜第３の何れか１つの発明において、前記エレメント部は、光ファイバケーブルの全長に対して０〜１％の余長を有していることを特徴としている。
【００１２】
第５の発明は、第１〜第４の何れか１つの発明において、前記エレメント部に、前記光ファイバ心線を取り出すためのノッチ溝がケーブル長さ方向に沿って形成されていることを特徴としている。
【００１３】
第６の発明は、第１〜第５の何れか１つの発明の光ファイバケーブルを壁面に沿って配線する光ファイバケーブルの配線方法であって、前記壁面の角部に対応する部分の前記首部を切り離して前記光ファイバケーブルを配線することを特徴としている。
【発明の効果】
【００１４】
本発明の光ファイバケーブルによれば、エレメント部の両側に首部を介して連結した２本のエレメント支持部で、該エレメント支持部のケーブル配線面から上方に空中状態で前記エレメント部を支持しているため、光ファイバケーブルをドアの隙間を通して内側の壁から外側の壁へ配線するような場合に、壁面の角部では、壁面に接するケーブル配線面から上方にあるエレメント部の光ファイバ心線までの距離分、角部の曲げＲよりも光ファイバ心線の曲げＲが大きくなる。そのため、角部の曲げＲよりも大きな光ファイバ心線の曲げＲで光ファイバケーブルを配線することができることにより、光ファイバ心線の伝送損失増加を抑制することができる。また、エレメント部は、連続又は不連続で連結される首部によってエレメント支持部に連結されているので、角部で大きく壁面から浮き上がることが無く、人の手や足といった部位や物を運ぶ際に引っ掛ける等の危険性がなく、しかも美観を損なわない。
【図面の簡単な説明】
【００１５】
【図１】図１はエレメント部とエレメント支持部を連結する首部を連続させた光ファイバケーブルの平面図である。
【図２】図２は図１のＡ−Ａ線断面図である。
【図３】図３は角部を持つ壁面に図１の光ファイバケーブルを配線した場合の断面図である。
【図４】図４はエレメント部とエレメント支持部を連結する首部を不連続とした光ファイバケーブルの平面図である。
【図５】図５（Ａ）は図４のＢ−Ｂ線断面図、図５（Ｂ）は図４のＣ−Ｃ線断面図である。
【図６】図６は角部が外側に突出する出隅を持つ壁面に図４の光ファイバケーブルを配線した場合の断面図である。
【図７】図７は角部が内側に引っ込む入隅を持つ壁面に図４の光ファイバケーブルを配線した場合の断面図である。
【図８】図８はエレメント部を光ファイバケーブルの全長に対して余長を持たせた場合に出隅を持つ壁面に光ファイバケーブルを配線した断面図であり、（Ａ）は適切な余長の例、（Ｂ）は余長が長すぎる例である。
【図９】図９はエレメント部を光ファイバケーブルの全長に対して余長を持たせた場合に入隅を持つ壁面に光ファイバケーブルを配線した断面図であり、（Ａ）は適切な余長の例、（Ｂ）は余長が短い例、（Ｃ）は余長が長すぎる例である。
【図１０】図１０はエレメント支持部の無いエレメント部のみからなる光ファイバケーブルを角部を持つ壁面に配線した場合の断面図であり、（Ａ）は出隅の例、（Ｂ）は入隅の例である。
【図１１】図１１はエレメント支持部を横長の長方形状とした別実施形態の光ファイバケーブルの断面図である。
【発明を実施するための形態】
【００１６】
以下、本発明を適用した具体的な実施形態について図面を参照しながら詳細に説明する。
【００１７】
「第１実施形態」
図１はエレメント部とエレメント支持部を連結する首部を連続させた光ファイバケーブルの平面図、図２は図１のＡ−Ａ線断面図、図３は角部を持つ壁面に図１の光ファイバケーブルを配線した場合の断面図である。
【００１８】
第１実施形態の光ファイバケーブル１は、図１及び図２に示すように、エレメント部２と、このエレメント部２の両側に配置される２本のエレメント支持部３と、エレメント部２とエレメント支持部３とをケーブル長さ方向Ａに連続して連結する首部４とを備えている。
【００１９】
エレメント部２は、光ファイバ心線５と、この光ファイバ心線５を挟んでその両側にケーブル長さ方向Ａに沿って配置された２本の抗張力体６，６と、これら光ファイバ心線５及び抗張力体６，６を被覆する外被７とからなる。
【００２０】
光ファイバ心線５は、例えば、中心に設けられるガラス光ファイバと、このガラス光ファイバの外周囲を被覆するファイバ被覆層と、その上から被覆された最外層を形成する着色層とから構成される。
【００２１】
抗張力体６，６には、例えば金、銀、鋼、鉄、銅、アルミニウム、アルミ合金、銅クラッドアルミなどの金属材料や、エンジニアプラスチック材料を用いたＦＲＰロッド（例えばアラミド繊維を用いたＦＲＰロッド）、ガラスＦＲＰロッドなどが使用される。抗張力体６，６の形状は、図２に示す円形の他に、方形や楕円形でも構わない。
【００２２】
外被７には、ポリエチレン、ポリプロピレン、ポリスチレンなどの一般的な熱可塑性樹脂が使用される。かかる外被７は、光ファイバ心線５を中心としてその両側に同一線上に２本の抗張力体６，６を配置させた状態でそれら全体を被覆しており、ケーブル長さ方向Ａと垂直な断面を横長の長方形状としている。
【００２３】
外被７には、光ファイバ心線５を取り出すためのノッチ溝８がケーブル長さ方向Ａに沿って形成されている。ノッチ溝８は、先端が光ファイバ心線５に向くようにしてＶ字溝に形成されている。ノッチ溝８が設けられる位置は、光ファイバ心線５と対応する位置とされる。ノッチ溝８を設けることで、この部位から外被７を剥いて、光ファイバ心線５を取り出すことが可能となる。
【００２４】
エレメント支持部３は、ケーブル長さ方向Ａに垂直な断面を縦長の長方形状としている。このエレメント支持部３は、壁面９に接する２つのケーブル配線面３ａを有している。ケーブル配線面３ａは、長方形の２つの短辺とされている。かかるエレメント支持部３は、ケーブル長さ方向Ａと垂直なケーブル厚み方向Ｂの厚みＴ１を、エレメント部２のケーブル厚み方向Ｂの厚みＴ２よりも厚くしている。なお、エレメント支持部３は、エレメント部２の外被７と同じ材料で形成されている。
【００２５】
また、エレメント支持部３には、エレメント部２に設けた抗張力体６とは別の抗張力体１０がその中心に埋設されている。エレメント支持部３に設けられる抗張力体１０は、エレメント部２に設けられる抗張力体６と同一の材料で形成されていても良いし、或いは、先のエレメント部２に使用される材料の組み合わせで設計条件等によりサイズも適宜決定される。抗張力体１０の形状は、図２に示す円形の他に、方形や楕円形でも構わない。また、この実施形態では、抗張力体１０を設けているが、エレメント支持部３に抗張力体１０が無くてもよい。
【００２６】
首部４は、エレメント部２とエレメント支持部３とをケーブル長さ方向に連続して連結し、該エレメント部２を壁面９に接するケーブル配線面３ａから上方に空中状態で支持している。これにより、ケーブル配線面３ａからエレメント部２間には所定距離Ｈを有した空間部１１が形成される。首部４は、エレメント部２の厚みＴ２よりも薄い厚みＴ３とされている。また、首部４は、エレメント部２に設けた光ファイバ心線５及び抗張力体６とエレメント支持部３の抗張力体１０それぞれの中心を結ぶ同一線１２上に設けられている。
【００２７】
そして、首部４は、エレメント部２の外被７及びエレメント支持部３と同じ熱可塑性樹脂で形成されている。なお、エレメント部２の外被７、エレメント支持部３及び首部４は、何れも同一の熱可塑性樹脂で一体的に成形されることで形成されている。
【００２８】
以上のように構成された光ファイバケーブル１を、外側に突出する角部（出隅）を有する壁面９に配線した状態を図３に示す。光ファイバケーブル１は、エレメント支持部３の何れか一方のケーブル配線面３ａを壁面９に接触させて、曲り角に沿って配線される。エレメント部２は、ケーブル配線面３ａから所定距離Ｈを置いて空中状態で支持される。
【００２９】
このように配線された光ファイバケーブル１では、図３に示すように、壁面９の角部において光ファイバ心線５の曲げ半径Ｒが、角部の曲げ半径Ｒ１よりも大きくなる。つまり、壁面９に接するケーブル配線面３ａから所定距離Ｈにてエレメント部２を空中状態で支持しているため、そのケーブル配線面３ａから光ファイバ心線５までの距離分、光ファイバ心線５の曲げ半径Ｒが角部の曲げ半径Ｒ１よりも大きくなる。
【００３０】
これに対して、図１０（Ａ）に示すように、エレメント支持部３及び首部４を有しないエレメント部２のみからなる光ファイバケーブル１００を、外側に突出する角部を有した出隅を持つ壁面９に配線すると、エレメント部２の長辺である上下面２ａ，２ａのうち下面２ａ（或いは上面２ａ）が壁面９と接触する。このような配線形態の場合、角部の曲げ半径Ｒ１が小さくなればなる程、光ファイバ心線５の曲げ半径Ｒは小さくなり、該光ファイバ心線５の伝送損失が増加する。しかし、本実施形態では、エレメント部２を壁面９から浮かしているので、その浮いた分だけ光ファイバ心線５の曲げ半径Ｒを大きくすることができ、角部の曲げ半径Ｒ１の影響を受け難くなる。
【００３１】
本実施形態の光ファイバケーブル１では、角部を持つ壁面９に配線された時に壁面９から所定距離Ｈだけエレメント部２が浮いた状態になるが、エレメント部２はエレメント支持部３に首部４を介して連結されているので、エレメント部２が角部で大きく出っ張ることがない。そのため、人の手や足といった部位や物を運ぶ際に光ファイバケーブル１を引っ掛けることなどが無く、しかも大きく出っ張らないので美観を損なうことも無い。
【００３２】
「第２実施形態」
図４はエレメント部とエレメント支持部を連結する首部を不連続とした光ファイバケーブルの平面図、図５（Ａ）は図４のＢ−Ｂ線断面図、図５（Ｂ）は図４のＣ−Ｃ線断面図、図６は角部が外側に突出する出隅を持つ壁面に図４の光ファイバケーブルを配線した場合の断面図である。
【００３３】
第２実施形態の光ファイバケーブル１０１は、第１実施形態の光ファイバケーブル１に対して、首部４がケーブル長さ方向Ａに連続ではなく不連続としている。その他の構成に関しては、この第２実施形態の光ファイバケーブル１０１は、第１実施形態の光ファイバケーブル１と同一であり、同一構成部分については同一の符号を付し、その説明は省略する。
【００３４】
首部４は、図４に示すように、ケーブル長さ方向Ａに間欠的に設けられている。首部４が設けられた位置では、図５（Ａ）のように、エレメント部２とエレメント支持部３とが連結されている。首部４が無い位置では、図５（Ｂ）のように、エレメント部２とエレメント支持部３とが離れており、エレメント支持部３からエレメント部２が自由に動けるようになっている。
【００３５】
以上のように構成された光ファイバケーブル１０１を、外側に突出する角部（出隅）を有する壁面９に配線した状態を図６に示す。光ファイバケーブル１０１は、エレメント支持部３の何れか一方のケーブル配線面３ａを壁面９に接触させて、曲り角に沿って配線される。この光ファイバケーブル１０１では、首部４が無い部位が角部にくるように配線する。首部４が無い部位は、エレメント部２が両側のエレメント支持部３と連結されていないため、図６に示すように大きく湾曲して光ファイバ心線５の曲げ半径Ｒが角部の曲げ半径Ｒ１よりも大きくなる。なお、この角部に対応するエレメント部２は、大きく湾曲してもエレメント支持部３より外側へ飛び出ない。
【００３６】
また、この光ファイバケーブル１０１を、角部が内側に引っ込む入隅を持つ壁面９に配線した状態を図７に示す。入隅の場合も出隅同様、光ファイバ心線５の曲げ半径Ｒは、エレメント部２が大きく湾曲するため、角部の曲げ半径Ｒ１よりも大きくなる。なお、この角部に対応するエレメント部２は、エレメント支持部３よりも外側に飛び出ない。
【００３７】
これに対して、図１０（Ｂ）に示すように、エレメント支持部３及び首部４を有しないエレメント部２のみからなる光ファイバケーブル１００を、角部が内側に引っ込む入隅を持つ壁面９に配線すると、エレメント部２の長辺である上下面２ａ，２ａのうち下面２ａ（或いは上面２ａ）が壁面９と接触する。このような配線形態の場合、角部の曲げ半径Ｒ１が小さくなればなる程、光ファイバ心線５の曲げ半径Ｒは小さくなり、該光ファイバ心線５の伝送損失が増加する。しかし、本実施形態では、エレメント部２を壁面９から浮かしているので、その浮いた分だけ光ファイバ心線５の曲げ半径Ｒを大きくすることができ、角部の曲げ半径Ｒの影響を受け難くなる。
【００３８】
第２実施形態の光ファイバケーブル１０１では、出隅及び入隅の何れの場合に対しても光ファイバ心線５の曲げ半径Ｒが角部の曲げ半径Ｒ１よりも大きくなるので、人の手や足といった部位や物を運ぶ際に光ファイバケーブル１０１を引っ掛けることなどが無く、しかも大きく出っ張らないので美観を損なうことも無い。
【００３９】
例えば、首部４を連続して形成した第１実施形態の光ファイバケーブル１では、角部に対応する部位において首部４を切り離すことで、首部４を不連続とした第２実施形態の光ファイバケーブル１０１と同様の効果を得ることができる。つまり、角部に光ファイバケーブル１０１を配線するには、角部に対応する首部４を切り離すようにする。このような配線方法を採用すれば、首部４が連続する光ファイバケーブル１０１でも光ファイバ心線５の曲げ半径Ｒを角部の曲げ半径Ｒ１よりも大きくすることが可能となる。
【００４０】
「第３実施形態」
図８はエレメント部を光ファイバケーブルの全長に対して余長を持たせた場合に出隅を持つ壁面に光ファイバケーブルを配線した断面図であり、（Ａ）は適切な余長の例、（Ｂ）は余長が長すぎる例、図９はエレメント部を光ファイバケーブルの全長に対して余長を持たせた場合に入隅を持つ壁面に光ファイバケーブルを配線した断面図であり、（Ａ）は適切な余長の例、（Ｂ）は余長が短い例、（Ｃ）は余長が長すぎる例である。
【００４１】
第３実施形態の光ファイバケーブル１０２では、第２実施形態の光ファイバケーブル１０１に対して、エレメント部２の全長を光ファイバケーブル１０２の全長よりも長くしている。例えば、ケーブル長さ方向Ａの前後の首部４，４間で考えると、この首部４，４間のエレメント部２の長さは、前後首部４，４間の直線距離Ｌよりも長くなっている。
【００４２】
このように光ファイバケーブル１０２の全長よりもエレメント部２の全長を長くして余長を持つ場合、その余長が適切であれば、図８（Ａ）に示すように、光ファイバ心線５の曲げ半径Ｒが、角部の曲げ半径Ｒ１よりも大きくなる。光ファイバ心線５の曲げ半径Ｒが最大となるのは、エレメント部２の描く曲線が角部に一点で接触する場合（但し、エレメント部２の角部から受ける垂直抗力は零とする）である。これ以上の余長を持つと、図８（Ｂ）に示すように、逆に光ファイバ心線５の曲げ半径Ｒが小さくなるばかりか、エレメント部２がエレメント支持部３より外側に飛び出てしまう。そのため、人の手や足といった部位や物などを運ぶ際にエレメント部２に引っ掛ける危険性が生じる他、美観も損なわれる。
【００４３】
入隅を持つ壁面９に光ファイバケーブル１０２を配線した場合は、その余長が適切であれば、図９（Ａ）に示すように、光ファイバ心線５の曲げ半径Ｒが、角部の曲げ半径Ｒ１よりも大きくなる。この最適余長では、エレメント部２が角部において壁面９に二点で接触する。この一方、余長が短い場合は、図９（Ｂ）に示すように、エレメント部２がエレメント支持部３から外側に飛び出てしまう。余長が長すぎる場合は、図９（Ｃ）に示すように、光ファイバ心線５の曲げ半径Ｒが、角部の曲げ半径Ｒ１よりも小さくなると共にエレメント部２がエレメント支持部３から外側へ大きく飛び出す。
【実施例】
【００４４】
出隅及び入隅を持つ壁面に余長を持たせた光ファイバケーブルを配線して、余長率（（（エレメント部−ケーブル全長）/ケーブル全長）×１００％）に対する曲げ緩和効果を調べた。検証として、光ファイバ心線の曲げ半径Ｒが１０ｍｍ以下、特にＩＴＵ−Ｔ  Ｇ．６５７  Ｂ３の規格では、前記曲げ半径Ｒが５．０ｍｍにおける損失増加量が求められているため、宅内における配線において最も曲げ半径Ｒが厳しいとされる一般的なドア、サッシなどの設計である２ｍｍにて検証した。なお、検証において、サッシなどにおける隙間の幅は２ｍｍ程度であるため、エレメント支持部の高さを１．６ｍｍ、エレメント部の高さを１．０ｍｍ、長径を２．０ｍｍとして設計し検証している。
【００４５】
光ファイバ心線の曲げ半径Ｒが２．０ｍｍにおいて、曲げが緩和され、エレメント支持部よりもエレメント部が外側へ出ないものを○、曲げは緩和されるが、エレメント支持部よりもエレメント部が外側へ飛び出てしまうのを△、曲げが緩和されずエレメント支持部よりもエレメント部が外側へ飛び出てしまうのを×として評価する。その結果を、表１に示す。
【表１】
0005380515.tif 000002
【００４６】
表１の結果を見ると、マイナス余長では、出隅においてエレメント部が伸ばされ壁面角部に押し付けられてしまうため、×となった。エレメント部の余長率が０〜１．０％の場合は、何れも美観を保ったまま曲げの緩和効果が期待できる。これにより、光ファイバ心線に掛かる歪みが低減し、極小曲げ半径時における伝送損失増加量の低減及び光ファイバ心線の破断寿命の低下を抑制することが可能であった。また、角部に接触する位置に首部が存在する場合、エレメント部の自由度が失われてしまい、曲げを緩和する効果が充分に得ることができないが、首部を切断することによって充分な自由度を得ることができ、曲げが緩和される。
【００４７】
以上、本発明を適用した具体的な実施形態について説明したが、本発明は、上述の実施形態に限定されるものではない。例えば、図２では、エレメント支持部３は、ケーブル長さ方向Ａに垂直な断面を縦長の長方形状としているが、このエレメント支持部３を、図１１に示すような横長の長方形状としてもよい。エレメント支持部３を、横長の長方形状とすると、壁面９に接するケーブル配線面３ａが縦長の長方形状としたエレメント支持部３よりも広くなるため、例えば壁面９への固定に両面接着テープ等を用いた場合、接着面が広くなることで安定した固定を実現させることができる。なお、図１１は、エレメント支持部３の形状が異なる他は、図２の光ファイバケーブルと同一である。この他、エレメント支持部３は、正方形状、三角形状、或いは台形状であってもよい
【産業上の利用可能性】
【００４８】
本発明は、角部を含む壁面に配線するのに適した光ファイバケーブルに利用することができる。
【符号の説明】
【００４９】
１、１０１，１０２…光ファイバケーブル
２…エレメント部
３…エレメント支持部
４…首部
５…光ファイバ心線
６、１０…抗張力体
７…外被
８…ノッチ溝
９…壁面
【図１】
0005380515.tif 000003
【図２】
0005380515.tif 000004
【図３】
0005380515.tif 000005
【図４】
0005380515.tif 000006
【図５】
0005380515.tif 000007
【図６】
0005380515.tif 000008
【図７】
0005380515.tif 000009
【図８】
0005380515.tif 000010
【図９】
0005380515.tif 000011
【図１０】
0005380515.tif 000012
【図１１】
0005380515.tif 000013